(57)【要約】【課題】光ピックアップ装置のレンズ及び移動体がスライドするガイドレールを、短時間で効果的にメンテナンス可能なメンテナンス用光ディスクを提供する。【解決手段】記録領域１８の内周端にリードイン領域２０が設けられた光ディスク本体１２を有する。光ディスク本体１２に光ピックアップ装置２８のレンズ３０ａの汚れを払拭するクリーニング部材１４を有する。最内周トラック２２、中間トラック２４、最外周トラック２６及びリードアウト領域２９が、リードイン領域２０の外周端から記録領域１８の外周端までの全域に広く設けられる。最内周トラック２２及び最外周トラック２６には、短時間の再生トラック２２ａ，２６ａが設けられる。メンテナンス再生時、中間トラック２４をスキップさせ、最内周トラック２２と最外周トラック２６を交互に再生可能である。【選択図】図２
0003159479.tif 000002
【実用新案登録請求の範囲】
【請求項１】
記録領域の内周端にリードイン領域が設けられた光ディスク本体を有し、前記光ディスク本体に、メンテナンス再生時に光ピックアップ装置のレンズの汚れを除去するクリーニング手段が設けられたメンテナンス用光ディスクにおいて、
最内周トラック、中間トラック、最外周トラック、及びリードアウト領域が、前記リードイン領域の外周端から前記記録領域の外周端までの全域に広く設けられ、
前記最内周トラック及び前記最外周トラックは、プリギャップを除く部分が短時間の再生トラックで構成され、
メンテナンス再生時、前記中間トラックをスキップさせ、最内周トラックと最外周トラックを交互に再生可能にしたこと特徴とするメンテナンス用光ディスク。
【請求項２】
前記最内周トラック及び前記最外周トラックは、プリギャップを除く部分が１／７５秒から１０秒の範囲の再生トラックで構成された請求項１記載のメンテナンス用光ディスク。
【請求項３】
前記最内周トラック及び前記最外周トラックは、プリギャップを除く部分が１／７５秒から４秒の範囲の再生トラックで構成された請求項２記載のメンテナンス用光ディスク。
【考案の詳細な説明】
【技術分野】
【０００１】
この考案は、音楽等が記録された光ディスク記録媒体の再生機器が有する光ピックアップ装置をメンテナンスするためのメンテナンス用光ディスクに関する。
【背景技術】
【０００２】
従来から、音楽等が記録された光ディスク記録媒体（以下、ＣＤと称す。）を再生する機能を備えた機器（以下、ＣＤ再生機器と称す。）には、光ピックアップ装置が設けられている。一般的な光ピックアップ装置は、ガイドレール上に対物レンズ等を内蔵する移動体が設けられ、その移動体がＣＤの半径方向にスライドし、記録された情報を読み取る構造を備えている。ＣＤ再生機器の使用が長期になると、ＣＤを再生したときにエラーや音飛びといった不具合が生じやすくなるが、例えば、ピックアップ用の対物レンズに付着した汚れを除去するだけで解決できることがある。また、ガイドレール表面の汚れやグリスの塗付状態の不均一さにより移動体が円滑にスライドできないことが原因である場合も少なくない。
【０００３】
従来から、ＣＤ再生機器のメンテナンス用具として、光ピックアップ装置の対物レンズを清掃するクリーニングディスク等が市販されている。例えば、特許文献１に開示されているように、円板状のディスク本体の任意の箇所にクリーニング部材（ブラシ等）が設けられ、対物レンズをクリーニング部材の内周側から外周側、また外周側から内周側へ往復移動させるためのプログラムが設けられたレンズクリーナがある。このレンズクリーナをＣＤ再生機器で再生すると、光ピックアップ装置の対物レンズ等が内蔵された移動体がガイドレール上をスライドし、露出している対物レンズがクリーニング部材に接触し、対物レンズ表面に付着した汚れが払拭される。
【先行技術文献】
【特許文献】
【０００４】
【特許文献１】特開２００６−１６４４８２号公報
【考案の概要】
【考案が解決しようとする課題】
【０００５】
特許文献１のレンズクリーナは、光ピックアップ装置の移動体をクリーニング部材の位置を横切って往復させるプログラムが設けられたものであり、移動体がディスク本体の外周側にスライドする限度位置は、クリーニング部材が設けられる位置によって定められる。例えば、クリーニング部材がディスク本体の内周寄りの位置に設けられていると、移動体は、クリーニング部材を僅かに超える位置までしかスライドせず、ＣＤの記録領域の外周端まではスライドしない。従って、ガイドレール表面のグリスの塗付状態は、記録領域全体に渡って均一にはならず、例えば、記録領域の外周端まで音楽データが記録されているＣＤを再生すると、レンズクリーナでメンテナンスした後であっても、エラーや音飛び等が発生する可能性がある。このような不具合が生じると、使用者は、ＣＤ再生機器をメーカや専門業者に返品して修理依頼しなければならず非常に面倒であり、ＣＤ再生機器の製品寿命であるとの思い込みによって廃棄されてしまう場合もあった。
【０００６】
また、特許文献１の実施例として記載されているレンズクリーナの場合、光ピックアップ装置の移動体が、記録領域の内周端から外周端付近までスライド可能なプログラムが設けられているとも考えられるが、移動体がＣＤの記録可能領域を通過する時間（トラック再生時間）が比較的長いので、メンテナンス動作に要する時間が全体として長くなり、使用者がいらいらするという問題があった。
【０００７】
この考案は、上記背景技術に鑑みて成されたもので、光ピックアップ装置のレンズ及び移動体がスライドするガイドレールを、短時間で効果的にメンテナンス可能なメンテナンス用光ディスクを提供することを目的とする。
【課題を解決するための手段】
【０００８】
この考案は、記録領域の内周端にリードイン領域が設けられた光ディスク本体を有し、前記光ディスク本体に、メンテナンス再生時に光ピックアップ装置のレンズの汚れを除去するクリーニング手段が設けられたメンテナンス用光ディスクにおいて、
最内周トラック、中間トラック、最外周トラック及びリードアウト領域が、前記リードイン領域の外周端から前記記録領域の外周端までの全域に広く設けられ、
前記最内周トラック及び前記最外周トラックは、プリギャップを除く部分が短時間の再生トラックで構成され、
メンテナンス再生時、前記中間トラックをスキップさせ、最内周トラックと最外周トラックを交互に再生可能にしたメンテナンス用光ディスクである。
【０００９】
また、好ましくは、前記最内周トラック及び前記最外周トラックが、プリギャップを除く部分が１／７５秒から１０秒の範囲の再生トラックで構成されている。
【００１０】
より好ましくは、前記最内周トラック及び前記最外周トラックが、プリギャップを除く部分が１／７５秒から４秒の範囲の再生トラックで構成されている。
【考案の効果】
【００１１】
この考案のメンテナンス用光ディスクをＣＤ再生機器にセットし、メンテナンス再生することによって、光ピックアップ装置の移動体がディスク本体の記録領域の内周端から外周端まで往復し、ガイドレール表面のグリスの塗付状態等が記録領域を読み取るための広い範囲で均一になり、移動体が円滑にスライドできるようになる。また、ディスク本体に取り付けられたクリーニング手段によって、レンズも確実に清掃される。従って、記録領域の外周端付近まで音楽データが記録されたＣＤであっても、エラーや音飛び等の不具合が発生することなく再生することを可能にする。
【００１２】
また、このメンテナンス用光ディスクを用いたメンテナンス動作はごく短時間のうちに終了し、迅速なメンテナンスを可能にする。
【図面の簡単な説明】
【００１３】
【図１】この考案の光ピックアップ装置のメンテナンス用光ディスクの一実施形態を示す模式図である。
【図２】この実施形態のメンテナンス用光ディスクに記録された記録領域の構成と光ピックアップ装置の動作を説明するＡ−Ａ断面図である。
【考案を実施するための形態】
【００１４】
以下、この考案の一実施形態であるメンテナンス用光ディスク１０について、図１、図２に基づいて説明する。メンテナンス用光ディスク１０は、ディスク本体１２とクリーニング手段であるクリーニング部材１４とを備えている。ディスク本体１２は、透明な樹脂で成る基盤１２ａがベースになって形成され、一般的な音楽用のＣＤと同様に半径約６ｃｍの円板状の外形を有している。
【００１５】
基盤１２ａの中央には、ＣＤ再生機器の回転部に保持される保持部１６が設けられ、保持部１６中央に位置決め用のセンターホール１６ａが開口している。基盤１２ａの読み取り側とは反対側の面に記録層１２ｂが設けられ、記録層１２ｂを覆うように保護膜やレーベルが積層された被覆層１２ｃが形成されている。記録層１２ｂは、保持部１６の外側から基盤１２ａの外周端付近までの領域に設けられ、保護層１２ｃと基盤１２ａとの接合面にピットが形成され、反射膜を施して情報が記録されて設けられている。記録層１２ｂが設けられている位置や広さは、一般に市販されている音楽用のＣＤの業界規格に規定されている内容に準拠している。
【００１６】
図２に示すように、記録層１２ｂの内周端から外周端までの範囲が記録領域１８である。記録領域１８には、リードイン領域２０、最内周トラック２２、中間トラック２４、最外周トラック２６及びリードアウト領域２９が、内周端から外周端までの全域に広く設けられている。
【００１７】
記録領域１８の内周端のリードイン領域２０には、同一内容のＴＯＣ情報が反復して記録されている。ＴＯＣ情報は、記録領域１８に記録されているトラックの数や再生時間などを示すデータである。
【００１８】
リードイン領域２０の外側には、最内周トラック２２が設けられている。最内周トラック２２は、内側に隣接するトラックの切れ目を明らかにするためのプリギャップ２２ｂと、その外側に設けられた短時間の再生トラック２２ａとで構成されている。再生トラック２２ａは、少なくともＣＤのデータ読み取りの最小単位である１フレームに相当する１／７５秒以上の時間であって極力短い時間、好ましくは１０秒以下、より好ましくは４秒以下に設定される。
【００１９】
記録領域１８の外周端にあるリードアウト領域２９は、データの記録終端を示す領域である。リードアウト領域２９に隣接する内側に、最外周トラック２６が設けられている。最外周トラック２６は、再生トラック２６ａで構成され、ここでは、プリギャップが設けられていない。この再生トラック２６ａも、少なくともＣＤのデータ読み取りの最小単位である１フレームに相当する１／７５秒以上の時間であって極力短い時間、好ましくは１０秒以下、より好ましくは４秒以下に設定される。
【００２０】
最内周トラック２２と最外周トラック２６に挟まれた領域を埋めるように、中間トラック２４が広く設けられている。中間トラック２４は、再生トラック２４ａで構成され、ここでは、プリギャップが設けられていない。
【００２１】
記録領域１８は上記のように構成され、リードイン領域２０及びリードアウト領域２９は、業界規格に基づいて各々約１ｍｍないし約２ｍｍの幅に設定され、最内周トラック２２及び最外周トラック２６は、０．１ｍｍ以下の幅であり非常に狭い。そして、残りの広い範囲を中間トラック２４が占めている。
【００２２】
基盤１２ａの記録層１２ｂと反対側の面には、後述する光ピックアップ装置２８のレンズ３０ａ表面の汚れを除去するクリーニング部材１４が植設されている。クリーニング部材１４は、ブラシ毛等の払拭体であり、１回の払拭動作で直径が５〜６ｍｍのレンズ３０ａの表面全体に接触するようにブラシ毛の材質、長さ及び本数が設定され、最内周トラック２２と隣接する中間トラック２４の内周寄りの位置に設けられている。
【００２３】
次に、メンテナンス用光ディスク１０を使用して、ＣＤ再生機器に内蔵された光ピックアップ装置２８のメンテナンスを行う動作を、図２に基づいて説明する。メンテナンスの対象である光ピックアップ装置２８は、レンズ３０ａ等が設けられた移動体３０が図示しないガイドレール上に取り付けられて構成され、移動体３０は、メンテナンス用光ディスク１０の基盤１２ａのクリーニング部材１４側の表面近傍を半径方向にスライドすることができるものである。
【００２４】
まず、使用者がメンテナンス用光ディスク１０をＣＤ再生機器にセットすると、移動体３０が初期位置からリードイン領域２０に移動し、リードイン領域２０のＴＯＣ情報が読み取られ、リードインを行う。このとき、光ピックアップ装置２８のレンズ３０ａの表面がクリーニング部材１４のブラシ毛によって払拭され汚れが除去される。次に、使用者が、ＣＤ再生機器に対して最内周トラック２２と最外周トラック２６を交互に繰り返し再生するモードに設定し、再生ボタンを押すことによってメンテナンス再生が開始される。この時のＣＤ再生機器の具体的な設定は、第１トラックと第３トラックを繰り返し再生するように使用者が設定する。
【００２５】
メンテナンス再生が開始されると、移動体３０が最内周トラック２２の位置までスライドし、最内周トラック２２の再生を行う。最内周トラック２２の再生は短時間で終了するので、移動体３０は中間トラック２４をスキップし、瞬時に最外周トラック２６の位置にスライドする。そして、移動体３０は、最外周トラック２６の再生を短時間で行った後、最内周トラック２２を再生するため、瞬時に最内周トラック２２の位置にスライドし、この往復動作を繰り返す。そして、この往復動作は、使用者がＣＤ再生機器の繰り返し再生モードを解除するまで繰り返し行われる。
【００２６】
上述したメンテナンス動作の中で、中間トラック２４は直接的には機能していないが、中間トラック２４を削除することは好ましくない。例えば、メンテナンス用光ディスク１０の構成における中間トラック２４を削除し、その削除した領域に、最外周トラック２６のプリギャップを新たに設けるという構成も考えられる。しかし、このように再生トラック２６ａの内側のプリギャップを非常に長時間にすると、光ピックアップ装置２８のレンズ３０ａやガイドレールの汚れとは別の問題で、ＣＤ再生機器及び光ピックアップ装置２８が安定に動作せず、上記のようなメンテナンス動作が正常に行なわれないおそれがある。従って、メンテナンス用光ディスク１０のように、第２トラックとしての中間トラック２４を有する構成にした方がよい。
【００２７】
以上説明したように、メンテナンス用光ディスク１０は、ＣＤ再生機器にセットしてメンテナンス再生することにより、光ピックアップ装置２８の移動体３０を、ディスク本体１２の記録領域１８のほぼ内周端から外周端までの範囲を繰り返しスライドさせる。この動作により、ガイドレール表面のグリスの塗付状態が広い範囲で均一になり、移動体３０が記録領域１８の全範囲を円滑にスライドできるようになる。さらに、ディスク本体１２に設けられたクリーニング部材１４による払拭動作によって、レンズ３０ａ表面の汚れが効果的に除去される。
【００２８】
従って、メンテナンス用光ディスク１０を用いてメンテナンス再生を行えば、例えば、記録領域１８の外周端付近まで多量の音楽データが記録されている音楽ＣＤを再生する場合であっても、エラーや音飛び等が発生することなく再生されるよう効果的なメンテナンスを行うことができる。
【００２９】
また、メンテナンス用光ディスク１０は、最内周トラック２２及び最外周トラック２６の各再生トラック２２ａ，２６ａが短時間に設定されている。さらに、中間トラック２４と最外周トラック２６にはプリギャップが設けられていない。従って、メンテナンス用光ディスク１０をメンテナンス再生することによって、光ピックアップ装置２８のメンテナンス動作を短時間で完了することができる。特に、再生トラック２２ａ，２６ａを１０秒以下に設定すれば、ほとんどの使用者がメンテナンス動作時間に不満を感じることなく効果的なメンテナンスが可能である。また、音楽ＣＤに関する業界規格において１トラックの長さは４秒以上とする旨が規定されている。
しかし、メンテナンス用光ディスク１０で光ピックアップ装置２８をメンテナンスする用途であれば、再生トラック２２ａ，２６ａが４秒以下であっても、十分に機能を果たすことができる。従って、再生トラック２２ａ，２６ａを４秒以下に設定すれば、メンテナンスの時間を大きく短縮することができ、メッセージや音楽等が記録されている従来のクリーニングディスクとの差別化を図ることができる。
【００３０】
また、メンテナンス用光ディスク１０の場合、中間トラック２４が１つであることや、中間トラック２４と最外周トラック２６にはプリギャップが設けられていないことによって、ＴＯＣ情報のデータ量が少なくなり、ＴＯＣ情報がリードイン領域２０に反復して記録される記録回数が通常よりも多い。リードインは、光ピックアップ装置２８が複数記録されたＴＯＣ情報の中の１つを読み取ることができればよいので、音楽ＣＤの再生時にエラーが頻発する状態のＣＤ再生機器のメンテナンスを行う場合でも、高い確率でリードインすることが可能になり、上記のメンテナンス再生を確実に行うことができる。
【００３１】
なお、この考案のメンテナンス用光ディスクは上記実施形態に限定されるものではない。中間トラックは、最内周トラックと最外周トラックの間の領域を埋め、メンテナンス再生時にスキップ再生可能に設けられていれるものであれば、例えば、小さなデータ量の中間トラックを複数設けてもよい。
【００３２】
また、中間トラックに、上述したメンテナンス動作を妨げない範囲で、新たな機能を発揮するプログラムを記録してもよい。それに伴い、中間トラックと隣接する最外周トラックとの切れ目を明らかにする必要があれば、最外周トラックにプリギャップを設けその外側に再生トラックを設ける構成にしてもよい。
【００３３】
また、ブラシ毛等の払拭体であるクリーニング部材は、最内周トラックと隣接する中間トラックの内周寄りの位置だけでなく、必要に応じて他の場所に増設することができる。また、上述した払拭体方式のクリーニング手段に代えて、ＣＤが回転したときに生じる空気流を利用してレンズ表面を清浄化する方式のクリーニング手段を設けてもよい。
【符号の説明】
【００３４】
１０  メンテナンス用光ディスク
１２  ディスク本体
１２ａ  基盤
１２ｂ  記録層
１４  クリーニング部材
１８  記録領域
２０  リードイン領域
２１  リードアウト領域
２２  最内周トラック
２２ａ  再生トラック
２２ｂ  プリギャップ
２４  中間トラック
２４ａ  再生トラック
２６  最外周トラック
２６ａ  再生トラック
２８  光ピックアップ装置
３０  移動体
３０ａ  レンズ
【図１】
0003159479.tif 000003
【図２】
0003159479.tif 000004